(57)【要約】      （修正有）【課題】移動体用照明装置において移動体の揺れや振動に起因する音の発生を低減する。【解決手段】移動体用照明装置のハウジング２は、移動体の壁面に固定される本体部４と、本体部にヒンジ５を介して開閉可能に取り付けられたカバー部６と、を備える。また、ハウジングは、可撓性を有するワイヤ２１、ワイヤガイド２２、ワイヤエンド２３、規制部２４とを備える。ワイヤは、基端部が本体部及びカバー部のうち一方に回動可能に連結され、ワイヤガイドは、本体部及びカバー部のうち他方に固定され、ガイド孔を備える。ワイヤエンドは、ガイド孔に挿通されたワイヤの先端部に設けられ、カバー部の開閉動作に伴って、カバー部が開位置にあるときの下限位置Ｌと、カバー部が閉位置にあるときの上限位置Ｕとの間を移動可能である。規制部は、上限位置Ｕにあるワイヤエンドに当接することにより、ワイヤエンドのワイヤの軸方向と直交する方向への移動を規制する。【選択図】図２
2018170085.tif 000002
【特許請求の範囲】
【請求項１】
移動体の壁面に固定される本体部と、
前記本体部にヒンジを介して開閉可能に取り付けられたカバー部と、
基端部が前記本体部及びカバー部のうち一方に回動可能に連結された、可撓性を有する線状部材と、
前記本体部及びカバー部のうち他方に固定され、前記線状部材をガイドするガイド孔を備えたガイド部と、
前記ガイド孔に挿通された前記線状部材の先端部に設けられ、前記ガイド孔を通過不能な形状または大きさを有し、前記カバー部の開閉動作に伴って、前記カバー部が開位置にあるときの第１位置と、前記カバー部が閉位置にあるときの第２位置との間を移動可能であるエンド部と、
前記第２位置にあるエンド部に当接することにより、前記エンド部の前記線状部材の軸方向と直交する方向への移動を規制する規制部と、
を備えた移動体用照明装置のハウジング。
【請求項２】
前記エンド部は、略球形状を有している、請求項１に記載の移動体用照明装置のハウジング。
【請求項３】
前記ガイド孔は、前記線状部材の基端部と前記カバー部との連結点よりも、前記ヒンジから離れた位置に設けられている、請求項１または２に記載の移動体用照明装置のハウジング。
【請求項４】
前記規制部は、前記ガイド孔に連通する連通孔を有し、
前記エンド部は、前記連通孔に、前記第１位置から前記第２位置まで遊嵌状態で摺動可能に収容されている、請求項１乃至３のいずれか一項に記載の移動体用照明装置のハウジング。
【請求項５】
前記規制部は、前記本体部及びカバー部のうち一方における、前記第２位置に対応する位置に固定された第１弾性体からなり、
前記第１弾性体は、前記カバー部が閉位置にあるとき、前記本体部及びカバー部のうち他方の一部と、前記第２位置にある前記エンド部を挟持する、請求項１乃至４のいずれか一項に記載の移動体用照明装置のハウジング。
【請求項６】
前記規制部は、前記本体部及びカバー部のうち他方における、前記第２位置に対応する位置に固定された第２弾性体からなり、
前記カバー部が閉位置にあるとき、前記第２位置にある前記エンド部は、前記線状部材の軸方向の力を前記線状部材から受けて、前記第２弾性体に押し付けられる、請求項１乃至５のいずれか一項に記載の移動体用照明装置のハウジング。
【請求項７】
前記エンド部は、磁性体からなり、
前記規制部は、前記本体部または前記カバー部における、前記第２位置に対応する位置に固定された、前記第２位置において前記磁性体を吸着する磁石である、請求項１乃至６のいずれか一項に記載の移動体用照明装置のハウジング。
【発明の詳細な説明】
【技術分野】
【０００１】
本開示は、車両（自動車、バス、鉄道車両等を含む）、航空機、船舶等に用いられる照明装置のハウジングに関する。以下、車両、航空機、船舶等を「移動体」と称する。
【背景技術】
【０００２】
特許文献１は、蛍光ランプの交換を、中反射板を仮吊した状態で行う照明装置を開示している。中反射板は、使用状態では、器具本体に取り付けられ、仮吊状態では、器具本体に連結された仮吊紐によって器具本体の下方に仮吊される。
【先行技術文献】
【特許文献】
【０００３】
【特許文献１】特開２０１１−８６４４０号公報
【発明の概要】
【発明が解決しようとする課題】
【０００４】
ところで、上記従来の照明装置を移動体に設置した場合、移動体の揺れや振動が照明装置に伝わり、仮吊紐が照明装置内における周辺の壁等に当たって音を生じさせるおそれがあった。
【０００５】
本開示は、このような従来技術の有する課題に鑑みてなされたものである。そして、本開示の目的は、移動体用照明装置において移動体の揺れや振動に起因する音の発生を低減することにある。
【課題を解決するための手段】
【０００６】
本開示の態様にかかる移動体用照明装置のハウジングは、移動体の壁面に固定される本体部と、本体部にヒンジを介して開閉可能に取り付けられたカバー部と、を備えたハウジングである。該ハウジングは、可撓性を有する線状部材と、ガイド部と、エンド部と、規制部とを備える。線状部材は、基端部が本体部及びカバー部のうち一方に回動可能に連結され、ガイド部は、本体部及びカバー部のうち他方に固定され、線状部材をガイドするガイド孔を備える。エンド部は、ガイド孔に挿通された線状部材の先端部に設けられ、ガイド孔を通過不能な形状または大きさを有する。エンド部は、カバー部の開閉動作に伴って、カバー部が開位置にあるときの第１位置と、カバー部が閉位置にあるときの第２位置との間を移動可能である。規制部は、第２位置にあるエンド部に当接することにより、エンド部の線状部材の軸方向と直交する方向への移動を規制する。
【発明の効果】
【０００７】
本開示によれば、移動体用照明装置において移動体の揺れや振動に起因する音の発生を低減することができる。
【図面の簡単な説明】
【０００８】
【図１】本開示の実施形態にかかる照明装置の二面図であり、（ａ）は側面図、（ｂ）は正面図である。
【図２】第１実施形態にかかるカバー部の開閉動作を説明する図である。（ａ）〜（ｃ）は、それぞれカバー部が開位置、中間位置、閉位置にある状態を示す。
【図３】第１実施形態にかかるワイヤガイド及びエンドガイドの構成を示す図であり、（ａ）は上面図、（ｂ）は（ａ）のＡ−Ａ線断面図である。
【図４】第２実施形態にかかるカバー部の開閉動作を説明する図である。（ａ）〜（ｃ）は、それぞれカバー部が開位置、中間位置、閉位置にある状態を示す。
【図５】第２実施形態にかかる押さえ部材の構成を示す図であり、（ａ）は上面図、（ｂ）は（ａ）のＢ−Ｂ線断面図である。
【図６】第３実施形態にかかる受け部材の構成を示す図であり、（ａ）は上面図、（ｂ）は（ａ）のＣ−Ｃ線断面図である。
【図７】第４実施形態にかかる磁石の配置図であり、（ａ）は上面図、（ｂ）は（ａ）のＤ−Ｄ線断面図である。
【発明を実施するための形態】
【０００９】
以下、図面を参照しながら、本開示のいくつかの実施形態にかかる移動体用照明装置について説明する。なお、「上」「下」「前」「後」など方向を表す用語は、各部の位置関係を説明するために便宜上定めたものであり、実際の装置の取り付け姿勢等を限定するものではない。
【００１０】
＜第１実施形態＞
本開示の第１実施形態にかかる照明装置１について、図１乃至図３を参照して説明する。照明装置１は、例えば、鉄道車両等の移動体における居住空間の照明に利用でき、該居住空間の壁面等に設置することができる。
【００１１】
照明装置１は、図１に示すように、ハウジング２とランプ３とを備える。ランプ３は、発光ダイオード（ＬＥＤ）を光源とする電球である。なお、ランプ３の種類は、特に限定されず、白熱灯等を使用することもできる。
【００１２】
ハウジング２は、図１及び図２に示すように、移動体の壁面に固定される本体部４と、本体部４にヒンジ５を介して開閉可能に取り付けられたカバー部６と、を備える。
【００１３】
本体部４は、枠材７と、反射板８と、ソケット９とを備える。枠材７は、前面視において、略矩形形状を有し、中央部に上下方向に長い開口を有している。枠材７は、例えば、壁面上に設けられた取付面に、背面７ａを合わせた状態で、ねじ等の取付具により固定される。反射板８は、ランプ３の光を前方に反射するための板状部材であり、枠材７の開口を枠材７の背面７ａ側から覆うように枠材７に固定されている。ソケット９は、反射板８の前方かつ上方の位置に下向きの姿勢で取り付けられている。ソケット９の背面には、ソケット９にねじ込まれたランプ３に電力を供給するための端子台１０が設けられている。取付面及び壁面には、枠材７の開口と対応する位置に孔が設けられており、この孔を介して電源ケーブルが端子台１０に接続される。
【００１４】
カバー部６は、ソケット９の上方及び前方を覆うソケットカバー１１と、ソケットカバー１１の下方に設けられ、ランプ３の前方及び下方を覆うグローブ部１２とを備える。グローブ部１２は、透明ガラス製であり、ランプ３及び反射板８からの光を透過させる。ソケットカバー１１及びグローブ部１２の周縁部は、枠材１３に固定されている。枠材１３は、本体部４の枠材７に対応する形状に形成されている。枠材１３の下端部は、ヒンジ５を介して本体部４の枠材７の下端部に回動可能に支持されている。枠材１３の上端部には、上方に突出する取付片１３ａが設けられている。取付片１３ａは、ボルト等の締結具１３ｂにより、本体部４の枠材７の上端部に締結される。
【００１５】
カバー部６は、図２に示すように、ヒンジ５の軸を回動中心として、開位置（図２（ａ））と閉位置（図２（ｃ））との間を回動可能である。開位置では、カバー部６は、本体部４に対して（或いは閉位置のカバー部６に対して）略９０°の角度をなす。この開位置では、本体部４を壁面に固定したまま、ソケット９の取付・取り外しやランプ３の交換等を行うことが可能になる。開位置と閉位置との間で、カバー部６は中間位置をとる。図２（ｂ）に示す中間位置では、カバー部６は、本体部４に対して（或いは閉位置のカバー部６に対して）略４５°の角度をなす。
【００１６】
ハウジング２は、カバー部６を開位置で支持する支持機構２０を備える。支持機構２０は、図２及び図３に示すように、ワイヤ２１と、ガイド部であるワイヤガイド２２と、エンド部であるワイヤエンド２３と、規制部であるエンドガイド２４とを備える。
【００１７】
ワイヤ２１は、可撓性を有する線状部材であり、ワイヤ２１の軸方向と直交する方向に弾性的に曲げ変形可能である。ワイヤ２１には、鋼索など、金属製の針金をより合わせて索状にしたものを使用することができる。ワイヤ２１の材料は、特に限定されず、合成樹脂、炭素繊維、ガラス繊維などを含んでもよい。ワイヤ２１の基端部は、連結ピン２１ａを介してカバー部６に、ヒンジ５の軸と平行な軸周りに回動可能に連結されている。
【００１８】
ワイヤガイド２２は、図２及び図３に示すように、本体部４に固定された、例えば金属または樹脂製の部材であり、ワイヤ２１をガイドするガイド孔２２ａを備えている。ガイド孔２２ａには、ワイヤ２１が挿通されている。ガイド孔２２ａは、円形断面を有し、ガイド孔２２ａの下端は、下方に向けて開口している。ガイド孔２２ａの下端開口は、ハウジング２の側面視において、連結ピン２１ａよりもヒンジ５から離れた位置に配置されている。なお、ガイド孔２２ａの断面形状は、特に限定されず、スロット状などであってもよい。
【００１９】
ワイヤエンド２３は、図２及び図３に示すように、ワイヤ２１の先端部に一体成形された、或いはカシメ加工、鋳造、溶接等により固定された、例えば金属または樹脂製の部材である。ワイヤエンド２３は、ガイド孔２２ａを通過不能な形状または大きさを有している。本実施形態では、ワイヤエンド２３は、略球形状であり、ガイド孔２２ａの内径より大きな外径を有している。なお、ワイヤエンド２３の形状は、特に限定されず、例えば、円柱状、角柱状、ワイヤ２１の軸方向に長軸を有する回転楕円体状などであってもよい。
【００２０】
エンドガイド２４は、図３に示すように、ワイヤガイド２２から上方に延びる、例えば金属または樹脂製の筒状部材である。エンドガイド２４は、その内部に、下端がガイド孔２２ａに連通する連通孔２４ａを有する。連通孔２４ａには、ワイヤエンド２３が遊嵌状態で収容されている。連通孔２４ａの内側面とワイヤエンド２３との間には、微小なクリアランスが設けられており、ワイヤエンド２３は、連通孔２４ａの内側面に摺接しつつ連通孔２４ａに沿って移動することができる。連通孔２４ａの断面形状は、円形の他、矩形等の多角形であってもよく、ワイヤエンド２３の外形形状に応じて適宜選択することができる。例えば、断面形状が円形であるワイヤエンド２３に対して、連通孔２４ａの断面形状を矩形としてもよい。これにより摺動面積を減少させて、ワイヤエンド２３の摺動抵抗を軽減することができる。
【００２１】
支持機構２０のワイヤ２１は、カバー部６の開閉動作に伴い、ガイド孔２２ａに挿通された状態のまま、ガイド孔２２ａ内を軸方向に沿って移動することができる。ワイヤ２１は、適度な剛性を備えているので、先端部側に向かう力を連結ピン２１ａから付与されることで、ガイド孔２２ａの内側面に摺接しつつ、ガイド孔２２ａ内を上方に進行することができる。
【００２２】
ワイヤエンド２３は、カバー部６の開閉動作に伴うワイヤ２１の移動により、図３に示すように、下限位置Ｌ（第１位置）と上限位置Ｕ（第２位置）との間を移動することができる。ワイヤエンド２３は、カバー部６が開位置にあるとき下限位置Ｌにあり、カバー部６が閉位置にあるとき上限位置Ｕにある。カバー部６が開位置と閉位置との間に位置するときは、ワイヤエンド２３は、下限位置Ｌと上限位置Ｕとの間において、カバー部６の本体部４に対する角度に応じた位置をとる。ワイヤエンド２３は、下限位置Ｌで、ワイヤガイド２２のガイド孔２２ａの上端開口の周縁部に当接する。これにより、ワイヤエンド２３の下限位置Ｌより下方への移動が規制され、ワイヤ２１が抜け止めされる。
【００２３】
ワイヤエンド２３は、エンドガイド２４の連通孔２４ａ内を、下限位置Ｌから上限位置Ｕまで遊嵌状態のまま摺動可能である。上限位置Ｕにおいてワイヤエンド２３は、エンドガイド２４に当接しており、これにより、ワイヤエンド２３のワイヤ２１の軸方向と直交する方向への移動（以下、ワイヤエンド２３の横移動とも称する）が規制される。
【００２４】
以下、本実施形態の作用効果について説明する。
【００２５】
本実施形態では、カバー部６が閉位置にあるときに、エンドガイド２４がワイヤエンド２３に当接して、ワイヤエンド２３の横移動を規制する。これにより、ワイヤ２１の先端部の振動（揺れ）が抑制され、本体部４から移動体の揺れや振動が照明装置１に伝わった場合でも、ワイヤエンド２３と他の部材等との衝突やそれによる音の発生を低減することができる。
【００２６】
また、本実施形態では、ワイヤエンド２３が略球形状をしており、ワイヤエンド２３が上限位置Ｕと下限位置Ｌとの間を移動する際に引っ掛かりにくくなるので、ワイヤ２１が滑らかに移動できる。
【００２７】
さらに、本実施形態では、ガイド孔２２ａが、連結ピン２１ａよりもヒンジ５から離れた位置に設けられている。このため、カバー部６が開位置にあるときに、ガイド孔２２ａの下端開口においてワイヤ２１の軸方向とガイド孔２２ａの軸方向とのなす角度が４５度以下になり、カバー部６を閉じる際のワイヤ２１のガイド孔２２ａへの進入がスムーズになる。
【００２８】
また、本実施形態では、ワイヤエンド２３が、連通孔２４ａに、下限位置Ｌから上限位置Ｕまで遊嵌状態のまま摺動可能に収容されている。このため、ワイヤエンド２３が下限位置Ｌから上限位置Ｕまでスムーズに移動できる。
【００２９】
＜第２実施形態＞
次に、図４及び図５を参照して、第２実施形態について説明する。なお、上記実施形態の構成と同様の構成については、同一の符号を付して説明を省略する。
【００３０】
本実施形態では、図４に示すように、エンドガイド２４Ａが第１実施形態のエンドガイド２４より短く、上限位置Ｕにあるワイヤエンド２３がエンドガイド２４Ａの外（連通孔２４ａの上端より上方）に位置するようになっている。また、本実施形態では、規制部である押さえ部材２５がカバー部６に設けられており、押さえ部材２５と本体部４の一部との間で、上限位置Ｕにあるワイヤエンド２３を挟持するようになっている。
【００３１】
図４及び図５に示すように、押さえ部材２５は、カバー部６の枠材１３の、ワイヤエンド２３の上限位置Ｕと対応する位置に、ブラケット２６を介して、挟持面２５ａを本体部４側に向けた姿勢で固定されている。
【００３２】
押さえ部材２５は、図４（ｃ）及び図５に示すように、カバー部６が閉位置にあるときに、本体部４の反射板８の一部と挟持面２５ａとで、上限位置Ｕにあるワイヤエンド２３を挟持する。これにより、押さえ部材２５は、上限位置Ｕにあるワイヤエンド２３の横移動を規制する。なお、押さえ部材２５とともにワイヤエンド２３を狭持する本体部４側の部材は、特に限定されず、枠材７自体や枠材７に固定したブラケットなどであってもよい。
【００３３】
押さえ部材２５は、ウレタンフォームなどの発泡体から構成することができる。発泡体以外の押さえ部材２５の材料の例としては、合成樹脂、ゴム、バネなど他の弾性体が挙げられる。
【００３４】
本実施形態では、カバー部６が閉位置にあるときに、押さえ部材２５がワイヤエンド２３に当接して、ワイヤエンド２３の横移動を規制する。このため、第１実施形態と同様に、移動体の揺れや振動が照明装置１に伝わった場合の音の発生を低減することができる。
【００３５】
また、本実施形態では、上限位置Ｕにあるワイヤエンド２３にエンドガイド２４Ａを当接させる必要がないので、第１実施形態のエンドガイド２４よりも、ワイヤエンド２３に作用する摺動抵抗を小さくすることができる。これにより、より小径のワイヤ２１を採用することが可能になる。
【００３６】
さらに、本実施形態では、エンドガイド２４Ａの長さを短くすることができるので、グローブ部１２の外部から見たときに、エンドガイド２４Ａを目立たなくすることができ、照明装置１の外観品質を高めることができる。
【００３７】
＜第３実施形態＞
次に、図６を参照して、第３実施形態について説明する。なお、上記実施形態の構成と同様の構成については、同一の符号を付して説明を省略する。
【００３８】
上記第２実施形態では、上限位置Ｕにあるワイヤエンド２３を、カバー部６側に設けた押さえ部材２５と本体部４の一部との間で挟持する。これに対し、本実施形態では、本体部４側に設けた規制部である受け部材２７により、上限位置Ｕへ上昇してきたワイヤエンド２３を受け止める。他の構成は、第２実施形態と同様であるので説明を省略する。
【００３９】
図６に示すように、受け部材２７は、本体部４におけるワイヤエンド２３の上限位置Ｕと対応する位置に、ブラケット２８を介して、受け面２７ａを下向きにした姿勢で固定されている。受け部材２７は、押さえ部材２５と同様の材料から構成することができる。
【００４０】
カバー部６が閉位置にあるとき、上限位置Ｕにあるワイヤエンド２３は、ワイヤ２１からワイヤ２１の軸方向上向きの力を受けて、受け部材２７の受け面２７ａに押し付けられる。受け面２７ａは、ワイヤエンド２３からの押圧力を受けて凹曲面状に変形し、ワイヤエンド２３の横移動を拘束する。なお、受け面２７ａの形状は、平面状に限らず、傾斜面状、谷状、凹曲面状などであってもよい。
【００４１】
本実施形態では、カバー部６が閉位置にあるときに、受け部材２７がワイヤエンド２３に当接して、ワイヤエンド２３の横移動を規制する。このため、第１及び第２実施形態と同様に、移動体の揺れや振動が照明装置１に伝わった場合の音の発生を低減することができる。
【００４２】
また、本実施形態では、ワイヤガイド２２が固定された本体部４側に、受け部材２７が設けられている。このため、例えば、ヒンジ５のガタ（軸挿入部のあそび）が比較的大きい場合は、受け部材２７とワイヤエンド２３との位置合わせが、押さえ部材２５とワイヤエンド２３との位置合わせよりも容易になる。
【００４３】
＜第４実施形態＞
次に、図７を参照して、第４実施形態について説明する。なお、上記実施形態の構成と同様の構成については、同一の符号を付して説明を省略する。
【００４４】
本実施形態は、弾性体の変形や弾性力ではなく、磁石の吸着力を用いてワイヤエンド２３の移動を規制する。すなわち、本実施形態は、押さえ部材２５及び受け部材２７の代わりに規制部である磁石２９が設けられている点で、第２及び第３実施形態と異なる。他の構成は、第２または第３実施形態と同様であるので説明を省略する。
【００４５】
本実施形態のワイヤエンド２３は、鉄などの磁性体からなる。また、図７に示すように、本体部４の反射板８におけるワイヤエンド２３の上限位置Ｕと対応する位置には、例えばフェライト磁石などの磁石２９が埋め込まれている。磁石２９は、その前面において、上限位置Ｕにあるワイヤエンド２３を吸着し、これにより、ワイヤエンド２３の横移動を規制する。なお、磁石２９の下端の高さ位置は、上限位置Ｕにあるワイヤエンド２３の下端より高くすることができる。これにより、上限位置Ｕまでのワイヤエンド２３の上方移動を妨げないようにすることができる。なお、反射板８の材料は、少なくとも磁石２９の磁場の及ぶ範囲に、例えばアルミ等の非磁性体を採用することで、ワイヤエンド２３の移動をよりスムーズにすることができる。
【００４６】
本実施形態では、カバー部６が閉位置にあるときに、磁石２９がワイヤエンド２３に吸着して、ワイヤエンド２３の横移動を規制する。このため、第１乃至第３実施形態と同様に、移動体の揺れや振動が照明装置１に伝わった場合の音の発生を低減することができる。
【００４７】
また、本実施形態では、ワイヤガイド２２が固定された本体部４側に、磁石２９が設けられている。このため、例えば、ヒンジ５のガタ（軸挿入部のあそび）が比較的大きい場合でも、ワイヤエンド２３と磁石２９との位置合わせが容易になる。
【００４８】
さらに、磁石２９は、本体部４の一部品に埋め込まれている。このため、グローブ部１２の外部から見たときに、磁石２９を目立たなくすることができ、照明装置１の外観品質を高めることができる。
【００４９】
なお、磁石２９の位置は、上限位置Ｕにあるワイヤエンド２３を吸着できる位置であれば、特に限定されない。例えば、カバー部６の枠材１３における、ワイヤエンド２３の上限位置Ｕと対応する位置に磁石２９を固定してもよい。
【００５０】
以上、本開示のいくつかの実施形態について説明したが、これらは本開示の理解を容易にするために記載された単なる例示に過ぎない。本開示の技術的範囲は、上記実施形態で開示した具体的な技術事項に限らず、そこから容易に導きうる様々な変形、変更、代替技術なども含むものである。
【００５１】
例えば、上記実施形態では、ワイヤ２１の基端部をカバー部６側に連結し、ワイヤガイド２２を本体部４側に設けたが、ワイヤ２１の基端部を本体部４側に連結し、ワイヤガイド２２をカバー部６側に設けてもよい。この場合、エンドガイド２４や受け部材２７は、カバー部６側に設けられ、押さえ部材２５は、本体部４側に設けられる。
【００５２】
また、上記実施形態を組み合わせて適用することも可能である。ある実施形態では、ワイヤエンド２３を磁性体製とし、エンドガイド２４におけるワイヤエンド２３の上限位置Ｕと対応する位置に磁石２９を設けることができる。これにより、上限位置Ｕにおけるワイヤエンド２３をより確実に捕捉し、エンドガイド２４内におけるワイヤエンド２３の移動をより確実に拘束することができる。
【００５３】
別のある実施形態では、エンドガイド２４におけるワイヤエンド２３の上限位置Ｕと対応する位置に受け部材２７を設けることができる。また、別のある実施形態では、エンドガイド２４の側面に開口を設けて、エンドガイド２４と押さえ部材２５とで上限位置Ｕにあるワイヤエンド２３を挟持するように構成することができる。これにより、上限位置Ｕにおけるワイヤエンド２３のエンドガイド２４内の移動をより一層確実に拘束することができる。
【００５４】
さらに別の実施形態では、ワイヤエンド２３を磁性体製とし、押さえ部材２５または受け部材２７に磁石２９を組み込むことができる。これにより、押さえ部材２５または受け部材２７によるワイヤエンド２３の保持力を高めることができる。また、別のある実施形態では、押さえ部材２５と受け部材２７とを併用することができる。
【００５５】
以上、説明した通り、本開示の実施形態にかかる移動体用照明装置１のハウジング２は、移動体の壁面に固定される本体部４と、本体部４にヒンジ５を介して開閉可能に取り付けられたカバー部６と、を備える。また、ハウジング２は、可撓性を有する線状部材としてのワイヤ２１と、ガイド部としてのワイヤガイド２２と、エンド部としてのワイヤエンド２３と、規制部とを備える。ワイヤ２１は、基端部が本体部４及びカバー部６のうち一方に回動可能に連結され、ワイヤガイド２２は、本体部４及びカバー部６のうち他方に固定され、ワイヤ２１をガイドするガイド孔２２ａを備える。ワイヤエンド２３は、ガイド孔２２ａに挿通されたワイヤ２１の先端部に設けられ、ガイド孔２２ａを通過不能な形状または大きさを有する。ワイヤエンド２３は、カバー部６の開閉動作に伴って、カバー部６が開位置にあるときの下限位置Ｌ（第１位置）と、カバー部６が閉位置にあるときの上限位置Ｕ（第２位置）との間を移動可能である。規制部は、上限位置Ｕにあるワイヤエンド２３に当接することにより、ワイヤエンド２３のワイヤ２１の軸方向と直交する方向への移動を規制する。
【００５６】
ワイヤエンド２３は、略球形状を有している。また、ガイド孔２２ａは、ワイヤ２１の基端部とカバー部６との連結点である連結ピン２１ａよりも、ヒンジ５から離れた位置に設けられている。
【００５７】
規制部は、ガイド孔２２ａに連通する連通孔２４ａを含んでもよい。ワイヤエンド２３は、連通孔２４ａに、下限位置Ｌから上限位置Ｕまで遊嵌状態で摺動可能に収容される。
【００５８】
規制部は、本体部４及びカバー部６のうち一方における、上限位置Ｕに対応する位置に固定された第１弾性体としての押さえ部材２５を含んでもよい。押さえ部材２５は、カバー部６が閉位置にあるとき、本体部４及びカバー部６のうち他方の一部と、上限位置Ｕにあるワイヤエンド２３を挟持する。
【００５９】
規制部は、本体部４及びカバー部６のうち他方における、上限位置Ｕに対応する位置に固定された第２弾性体としての受け部材２７を含んでもよい。カバー部６が閉位置にあるとき、上限位置Ｕにあるワイヤエンド２３は、ワイヤ２１の軸方向の力をワイヤ２１から受けて、受け部材２７に押し付けられる。
【００６０】
規制部は、本体部４またはカバー部６における、上限位置Ｕに対応する位置に固定された磁石２９を含んでもよい。磁石２９は、磁性体であるワイヤエンド２３を上限位置Ｕにおいて吸着する。
【符号の説明】
【００６１】
１  移動体用照明装置
２  ハウジング
４  本体部
６  カバー部
２１  ワイヤ（線状部材）
２１ａ  連結ピン（連結点）
２２  ワイヤガイド（ガイド部）
２３  ワイヤエンド（エンド部）
２４  エンドガイド（規制部）
２４ａ  連通孔
２５  押さえ部材（第１弾性体、規制部）
２７  受け部材（第２弾性体、規制部）
２９  磁石（規制部）
Ｌ  下限位置（第１位置）
Ｕ  上限位置（第２位置）
【図１】
2018170085.tif 000003
【図２】
2018170085.tif 000004
【図３】
2018170085.tif 000005
【図４】
2018170085.tif 000006
【図５】
2018170085.tif 000007
【図６】
2018170085.tif 000008
【図７】
2018170085.tif 000009